(57)【要約】      （修正有）【課題】補助者が前に回ってフレームを持ち上げる段差や、補助者が後ろ向きで引いていくような下り坂、砂利道や雪道などの悪路でも安定して、且つ安全に走行することができる車椅子用補助ハンドルを提供する。【解決手段】パイプで形成された車椅子１のフレーム２の、座席の両側に設けられたサイドフレーム２ａの前部に形成された湾曲した上部コーナー部１０に取付けられるハンドル固定部１４と、このハンドル固定部１４から斜め上方に突設されたハンドル部１５とからなり、ハンドル固定部１４のブラケット１８の湾曲した凹部１６にサイドフレーム２ａのコーナー部１０を挿着して、この外側から押え板２１で押えて、ボルト２２で固定するようにした車椅子用補助ハンドル１２。【選択図】図１
0003114363.tif 000002
【実用新案登録請求の範囲】
【請求項１】
パイプで形成された車椅子のフレームの、座席の両側に設けられたサイドフレームの前部に取付けられるハンドル固定部と、このハンドル固定部から上方に突設されたハンドル部とからなることを特徴とする車椅子用補助ハンドル。
【請求項２】
ハンドル固定部が、サイドフレームの前部に形成された湾曲した上部コーナー部に取付けられ、パイプ状のサイドフレームを挿入する湾曲した凹部と、ねじ孔とからなるブラケットと、ボルト挿通孔を開孔し、サイドフレームを外側から押える押え板とから構成され、前記ブラケットの凹部にサイドフレームのコーナー部を挿着して、この外側から押え板で押えて、ボルト挿通孔からボルトを挿通して前記ねじ孔に螺合して固定するようにしたことを特徴とする請求項１記載の車椅子用補助ハンドル。
【請求項３】
ハンドル固定部が、サイドフレームの前部を囲むようにパイプ状に形成されたフレーム連結部と、これに連結され、パイプの底部が閉塞したハンドル挿着部とから構成され、ハンドル挿着部にハンドル部を挿着して固定するようにしたことを特徴とする請求項１記載の車椅子用補助ハンドル。
【考案の詳細な説明】
【技術分野】
【０００１】
本考案は、車椅子に取り付ける補助ハンドルに関するものである。
【背景技術】
【０００２】
一般に手押し式の車椅子は、利用者が椅子に座り、補助者が後ろ側からハンドルを手で握って押して進行していくようになっている。車椅子は大径の主車輪の前方に小径の補助輪があり、体重のかかる部分はセンターよりやや後方の主車輪の部分に多くかかり、補助輪には余り力が加わらず、自由に向きを変えられるようになっている。このため、段差などを乗り超える時には、ハンドルに力を入れて押し下げることにより、主車輪を回転中心として前輪の捕助輪をやや浮かせることにより、補助輪が段差を乗り越え易くなっている。また、後方から押しても乗り越えられないような歩道と車道との大きな段差があるところでは、車椅子の前側に回ってサイドフレームを持ち上げて車椅子を歩道に引き上げている。
【０００３】
また急な下り坂やスロープなどでは、車椅子を前後に反転させて補助者が後ろ向きになってゆっくりと下がっていく。しかしながら砂利道や凹凸のある工事中の道路、雪道などでは、補助輪が自由に方向が変わるので、まっすぐ押しても進行方向が定まらず蛇行してしまことがある。このような時には、車椅子を反転させて主車輪を前輪として後ろ向きの状態で引いていくことがあるが、これは不安定で危険であった。
【考案の開示】
【考案が解決しようとする課題】
【０００４】
本考案は上記問題を改善し、補助者が前に回ってサイドフレームを持ち上げたりする段差や、補助者が後ろ向きで引いていくような下り坂や、砂利道、雪道などの悪路でも安定して、且つ安全に走行することができる車椅子用補助ハンドルを提供するものである。
【課題を解決するための手段】
【０００５】
本考案の請求項１記載の車椅子用補助ハンドルは、パイプで形成された車椅子のフレームの、座席の両側に設けられたサイドフレームの前部に取付けられるハンドル固定部と、このハンドル固定部から上方に突設されたハンドル部とからなることを特徴とするものである。
【０００６】
本考案の請求項２記載の車椅子用補助ハンドルは、ハンドル固定部が、サイドフレームの前部に形成された湾曲した上部コーナー部に取付けられ、パイプ状のサイドフレームを挿入する湾曲した凹部と、ねじ孔とからなるブラケットと、ボルト挿通孔を開孔し、サイドフレームを外側から押える押え板とから構成され、前記ブラケットの凹部にサイドフレームのコーナー部を挿着して、この外側から押え板で押えて、ボルト挿通孔からボルトを挿通して前記ねじ孔に螺合して固定するようにしたことを特徴とするものである。
【０００７】
本考案の請求項３記載の車椅子用補助ハンドルは、ハンドル固定部が、サイドフレームの前部を囲むようにパイプ状に形成されたフレーム連結部と、これに連結され、パイプの底部が閉塞したハンドル挿着部とから構成され、ハンドル挿着部にハンドル部を挿着して固定するようにしたことを特徴とするものである。  
【考案の効果】
【０００８】
本考案に係る請求項１記載の車椅子用補助ハンドルによれば、後方から押しても乗り越えられないような歩道と車道との大きな段差があるところでは、前側に回ってフレームの前部に取付けた補助ハンドルを握って容易に引き上げることができる。また下り坂では、補助者は車椅子の前側に回ってサイドフレームの前部に取付けた補助ハンドルを握って後ろ向きに後退する。また砂利道や凹凸のある工事中の道路、雪道などの悪路を走行する時には、補助者は車椅子の前側に回って補助ハンドルを握って、主車輪を前輪として車椅子を後ろ向きに押して走行できるので、安定して安全に走行することができ、補助者の疲労を少なくすることができる。
【０００９】
また請求項２記載の車椅子用補助ハンドルによれば、ブラケットの凹部にパイプフレームの上部コーナー部を挿着して、この外側から押え板で押えて、ボルト挿通孔からボルトを挿通してブラケットのねじ孔に螺合して固定するようにしたので、補助ハンドルの取付位置が使用中にずれることなく確実に固定することができる。
【００１０】
また請求項３記載の車椅子用補助ハンドルによれば、ハンドル固定部が、サイドフレームの前部を囲むようにパイプ状に形成されたフレーム連結部と、これに連結さたハンドル挿着部とから構成されているので、サイドフレームの前部の任意の位置に取付けることができ、補助者に合わせてハンドル部の高さを調整することができる。
【考案を実施するための最良の形態】
【００１１】
以下本考案の実施の一形態を図１ないし図３を参照して詳細に説明する。図において１は車椅子で、これはパイプで椅子状に形成されたフレーム２の両側に大径の主車輪３が設けられ、この外側にハンドリム４が一体に取付けられていると共に、主車輪３の前方のサイドフレーム２ａの下部に小径の補助輪５が設けられている。また、サイドフレーム２ａの中央部にシート６が取付けられ、このシート６の前方のサイドフレーム２ａの下部にフットプレート７が取付けられていると共に、フレーム２の背面側上部にハンドル８が取付けられている。
【００１２】
前記左右のサイドフレーム２ａの前部には、湾曲した上部コーナー部１０が形成され、この下に側板１１が取付けられている。この湾曲したコーナー部１０に補助ハンドル１２が前方に向かって斜め上方に突設されている。
【００１３】
この補助ハンドル１２は図２に示すように、ハンドル固定部１４と、このハンドル固定部から斜め上方に突設されたハンドル部１５とから形成されている。またハンドル部１５は下部側が上方に傾斜し、上部側が水平に形成され、この先端にゴムグリップ１３が取付けられている。またハンドル固定部１４は図３に示すように、パイプで形成されたサイドフレーム２ａのコーナー部１０が挿入される湾曲した凹部１６と、ねじ孔１７を形成したブラケット１８と、ボルト挿通孔１９を開孔し、サイドフレーム２ａのコーナー部１０を外側から押える押え板２１とから構成されている。
【００１４】
この補助ハンドル１２の取付け方法は、先ずサイドフレーム２ａのコーナー部１０をブラケット１８の湾曲した凹部１６に嵌め込んでから、押え板２１を閉じて、このボルト挿通孔１９からボルト２２を挿入してねじ孔１７に螺合して、サイドフレーム２ａを両側から挟持して固定する。ブラケット１８の凹部１６にサイドフレーム２ａのコーナー部１０が挿着され、この外側から押え板２１をボルト２２で固定しているので、補助ハンドル１２の取付位置が使用中にずれることなく確実に固定することができる。
【００１５】
上記構成の補助ハンドル１２を取付けた車椅子１は、通常走行する状態では図１に示すように、利用者をシート６に座らせてから、補助者が後ろに回ってハンドル８を握って前進走行する。また、後方から押しても乗り越えられないような歩道と車道との大きな段差があるところでは、前側に回ってサイドフレーム２ａの前部に取付けた補助ハンドル１２を握って引き上げると、容易に歩道に乗り移ることができる。
【００１６】
また下り坂では、シート６に座っている利用者が前に転倒しないように、補助者は車椅子１の前側に回ってサイドフレーム２ａの前部に取付けた補助ハンドル１２を握って後ろ向きに後退する。また砂利道や凹凸のある工事中の道路、雪道などの悪路を走行する時には、補助輪５が自由な方向に回転して蛇行してしまうので、補助者は車椅子１の前側に回ってサイドフレーム２ａの前部に取付けた補助ハンドル１２を握って、主車輪３を前輪として車椅子１を後ろ向きに押して走行するので安定して走行することができ、補助者の疲労も少ない。
【００１７】
図４および図５は本考案の他の実施の形態を示すもので、ハンドル固定部１４のブラケット１８は、ダイキャストで形成され、パイプで形成されたサイドフレーム２ａのコーナー部１０が挿入される湾曲した凹部１６と、この湾曲した側面に一体に突設した円筒状のハンドル挿着部２３とで構成されている。
【００１８】
更にブラケット１８の湾曲した凹部１６には、ここに挿着される湾曲したコーナー部１０を押さえるボルト２４が取付けられるねじ孔２５が形成されていると共に、凹部１６の横に、ねじ孔１７が開孔されている。またハンドル挿着部２３と、ここに挿着されるハンドル部１５にはピン孔２７が形成され、ここに連結ピン２８を通して連結するようになっている。
【００１９】
この補助ハンドル１２の取付け方法は、先ずサイドフレーム２ａのコーナー部１０を、ハンドル固定部１４のブラケット１８に形成した湾曲した凹部１６に嵌め込んでから、ねじ孔２５にボルト２４を螺合させて固定する。次に押え板２１を閉じて、このボルト挿通孔１９からボルト２２を挿入してねじ孔１７に螺合して、サイドフレーム２ａを両側から挟持して固定する。この後、ハンドル挿着部２３にパイプで形成されたハンドル部１５を挿着して、連結ピン２８で連結して取付けを完了する。
【００２０】
図６および図７は本考案の他の実施の形態を示すもので、ハンドル固定部１４はサイドフレーム２ａの前部中間に、これを囲むように取付けられ、パイプ状に形成されたフレーム連結部３０と、これに連結されるパイプで形成されたハンドル挿着部３１とから構成されている。前記フレーム連結部３０は図６に示すように板材をパイプ状に湾曲させて、その端部を折り曲げて、締付板３２を平行に形成し、ここに３個のボルト挿通孔１９が開孔されている。また締付板３２を突設した部分と反対側の側面の上下には２個の連結片３３が突設され、上部の連結片３３には長孔３４が開孔されていると共に、下部側の連結片３３にはボルト挿通孔１９が開孔されている。
【００２１】
またパイプで形成されたハンドル挿着部３１の底面は円板３５で塞がれており、このパイプの側面には２枚の平行な挟持片３６が上下に取付けられ、ここにボルト挿通孔１９が開孔されている。またハンドル挿着部３１の側面と、パイプで形成されたハンドル部１５に、それぞれ連結ピン２８が貫通するピン孔２７が開孔されている。
【００２２】
この補助ハンドル１２の取付け方法は、先ずサイドフレーム２ａの前部にフレーム連結部３０を囲むように取付けてから、締付板３２、３２のボルト挿通孔１９にボルト２２を通してナットで締付けて固定する。またフレーム連結部３０の側面から突設した連結片３３を両側から挟むようにハンドル挿着部３１の挟持片３６を取付けてボルト２２で連結する。この後、底部が円板３５で閉塞されたハンドル挿着部３１にハンドル部１５を挿着してから、連結ピン２８で一体に連結する。従って、サイドフレーム２ａの前部の任意の位置に取付けることができ、補助者に合わせてハンドル部１５の高さを調整することができる。
【００２３】
なお本考案では、ハンドル固定部１４の湾曲した凹部１６の内側に、ゴムなどの弾性マットを張り付けても良い。またハンドル部１５の形状や長さは任意に選定することができる。またハンドル部１５を取り外した場合、ハンドル挿着部２３、３１にゴムカバーを取り付けると良い。また図４に示すハンドル固定部１４のブラケット１８は、ダイキャストで形成したものに限らず機械加工で形成したものでも良い。更に本考案の車椅子用補助ハンドルは市販の車椅子１に、後から取り付けることもできるし、また車椅子１を製造する段階で予め取付けても良い。
【図面の簡単な説明】
【００２４】
【図１】本考案の実施の一形態による補助ハンドルを取付けた車椅子の斜視図である。
【図２】図１の車椅子用補助ハンドルを示す側面図である。
【図３】図２の車椅子用補助ハンドルを示す断面図である。
【図４】本考案の他の実施の形態による補助ハンドルの側面図である。
【図５】図４の車椅子用補助ハンドルを示す断面図である。
【図６】本考案の他の実施の形態による補助ハンドルを分解して示す斜視面である。
【図７】図６の補助ハンドルを車椅子に取付けた状態を示す側面図である。
【符号の説明】
【００２５】
１    車椅子                                                
２    フレーム                                              
２ａ  サイドフレーム                                        
３    主車輪                                                
４    ハンドリム                                            
５    補助輪                                                
６    シート                                                
７    フットプレート                                        
８    ハンドル                                              
１０  コーナー部                                            
１１  側板                                                  
１２  補助ハンドル                                          
１４  ハンドル固定部                                        
１５  ハンドル部                                            
１６  湾曲した凹部                                          
１７  ねじ孔                                                
１８  ブラケット                                            
１９  ボルト挿通孔                                          
２１  押え板                                                
２２  ボルト                                                
２３  ハンドル挿着部
２４  ボルト      
２５  ねじ孔      
２７  ピン孔        
２８  連結ピン          
３０  フレーム連結部  
３１  ハンドル挿着部      
３２  締付板    
３３  連結片      
３４  長孔      
３５  円板      
３６  挟持片    
【図１】
0003114363.tif 000003
【図２】
0003114363.tif 000004
【図３】
0003114363.tif 000005
【図４】
0003114363.tif 000006
【図５】
0003114363.tif 000007
【図６】
0003114363.tif 000008
【図７】
0003114363.tif 000009